(57)【要約】  検出部（１１０Ａ）が、パワー増幅器から出力された出力信号を入力信号として、入力信号の検出電圧値の検出、検出電圧値と基準値との大小関係、及び、閾値を検出電圧値が超えたことの検出を行う。引き続き、検出電圧値について、オフセット判定部（１２０Ａ）における計数部（１２１Ａ）が、基準値を超えてから基準値以下となるまでの期間に、検出電圧値が閾値を超えた回数を計数する。そして、オフセット判定部（１２０Ａ）における判定部（１２２）が、計数部（１２１Ａ）による計数結果が所定値に達したら、オフセット電圧異常があると判定する。したがって、タイマ機能を実装しない簡易な構成で、オフセット電圧の監視を常時行うことができる。
2016051583.tif 000002
【特許請求の範囲】
【請求項１】
外部デバイスから入力された入力信号の電圧値の検出、前記入力信号の電圧値と基準値との大小関係の検出、及び、前記基準値に対する一方側に設定された少なくとも１つの閾値を前記入力信号の電圧値が超えたことの検出を行う検出部と；
前記入力信号の電圧値が前記基準値を超えて前記一方側へ変化してから、前記入力信号の電圧値が前記一方側から前記基準値に戻るまでの期間に、前記少なくとも１つの閾値を前記入力信号の電圧値が超えた回数に基づいて、前記入力信号のオフセット電圧が異常であるかを判定するオフセット判定部と；
を備えることを特徴とするオフセット電圧監視装置。
【請求項２】
前記少なくとも１つの閾値には、一の閾値が含まれ、
前記オフセット判定部は、
前記入力信号の電圧値が前記基準値を超えて前記一方側へ変化してから、前記入力信号の電圧値が前記一方側から前記基準値に戻るまでの期間に、前記入力信号の電圧値が前記一の閾値を超えた回数を計数する計数部と；
前記計数部による計数結果が所定値に達したら、前記オフセット電圧が異常であると判定する判定部と；
を備えることを特徴とする請求項１に記載のオフセット電圧監視装置。
【請求項３】
前記少なくとも１つの閾値には、複数の閾値が含まれ、
前記オフセット判定部は、
前記入力信号の電圧値が前記基準値を超えて前記一方側へ変化してから、前記入力信号の電圧値が前記一方側から前記基準値に戻るまでの期間に、前記基準値との電圧差が大きな値に設定されている閾値ほど大きな重み付けを行いつつ、前記複数の閾値ごとの前記入力信号の電圧値の閾値超の回数の和を計数する計数部と；
前記計数部による計数結果が所定値以上となったら、前記オフセット電圧が異常であると判定する判定部と；
を備えることを特徴とする請求項１に記載のオフセット電圧監視装置。
【請求項４】
前記少なくとも１つの閾値には、複数の閾値が含まれ、
前記オフセット判定部は、
前記入力信号の電圧値が前記基準値を超えて前記一方側へ変化してから、前記入力信号の電圧値が前記一方側から前記基準値に戻るまでの期間に、前記複数の閾値ごとの前記入力信号の電圧値の閾値超の回数の和を計数する計数部と；
前記計数部による計数結果が所定値に達したら、前記オフセット電圧が異常であると判定する判定部と；
を備えることを特徴とする請求項１に記載のオフセット電圧監視装置。
【請求項５】
前記オフセット判定部による判定結果を外部へ出力するための出力端子を更に備える、ことを特徴とする請求項１に記載のオフセット電圧監視装置。
【請求項６】
前記オフセット判定部は、前記オフセット電圧が異常であると判定した場合には、前記外部デバイスから他デバイスへの前記入力信号の供給を停止させる制御を行う、ことを特徴とする請求項１に記載のオフセット電圧監視装置。
【請求項７】
外部デバイスから入力された入力信号の電圧値の検出、前記入力信号の電圧値と基準値との大小関係の検出、及び、前記基準値に対する一方側に設定された少なくとも１つの閾値を前記入力信号の電圧値が超えたことの検出を行う検出部を備え、前記入力信号におけるオフセット電圧の監視を行うオフセット電圧監視装置において使用されるオフセット電圧監視方法であって、
前記検出部による検出結果を取得する取得工程と；
前記取得工程における取得結果に基づいて、前記入力信号の電圧値が前記基準値を超えて前記一方側へ変化してから、前記入力信号の電圧値が前記一方側から前記基準値に戻るまでの期間に、前記少なくとも１つの閾値を前記入力信号の電圧値が超えた回数に基づいて、前記入力信号のオフセット電圧が異常であるかを判定するオフセット判定工程と；
を備えることを特徴とするオフセット電圧監視方法。
【請求項８】
外部デバイスから入力された入力信号におけるオフセット電圧の監視を行うオフセット電圧監視装置が有するコンピュータに、請求項７に記載のオフセット電圧監視方法を実行させる、ことを特徴とするオフセット電圧監視プログラム。
【請求項９】
外部デバイスから入力された入力信号におけるオフセット電圧の監視を行うオフセット電圧監視装置が有するコンピュータにより読み取り可能に、請求項８に記載のオフセット電圧監視プログラムが記録されている、ことを特徴とする記録媒体。
【発明の詳細な説明】
【技術分野】
【０００１】
本発明は、オフセット電圧監視装置、オフセット電圧監視方法及びオフセット電圧監視プログラム、並びに、当該オフセット電圧監視プログラムが記録された記録媒体に関する。
【背景技術】
【０００２】
従来から、スピーカからの音出力に際して、入力信号をパワー増幅して、増幅された出力信号をスピーカに供給する信号増幅装置が用いられている。例えば、車両に配置される音響装置では、ＢＴＬ（Balanced Transformer Less）増幅方式を採用した信号増幅装置を備え、電源電圧の中点電圧を基準電圧とする差動信号の形態で出力信号をスピーカへ供給する構成が、一般的となっている。【０００３】
かかる信号増幅装置の出力信号における直流成分の電圧値（直流（ＤＣ）オフセット電圧値）が許容範囲を超えると、スピーカが損傷してしまう。かかるスピーカの損傷という事態を回避するために、信号増幅装置の出力信号の直流オフセット電圧値を検出し、信号増幅装置の信号出力動作を制御することが一般的に行われている。【０００４】
こうした信号増幅装置の信号出力動作の制御に関する技術として、信号増幅装置の出力信号のオフセット電圧異常を疑わせる事象（例えば、信号クリップの発生等）の発生の検出結果をサンプルし、サンプル結果に基づいてオフセット電圧異常を検出する技術が提案されている（特許文献１参照：以下、「従来例」と呼ぶ）。この従来例の技術では、当該サンプルを定期的又は非定期に行い、当該事象の発生の検出結果が連続して所定回数だけサンプルされると、オフセット電圧異常となっていると判断するようになっている。
【先行技術文献】
【特許文献】
【０００５】
【特許文献１】特許第４３１５８３６号公報
【発明の概要】
【発明が解決しようとする課題】
【０００６】
上述した従来例の技術では、オフセット電圧異常を疑わせる事象の発生の検出結果を、定期的に又は非定期にサンプルする。このためサンプルのタイミングを知るためのタイマ機能の実装が必要となる。【０００７】
こうしたタイマ機能の実装のためには、発振子に加えて、非常に小規模であるとはいえない周辺回路が必要である。このため、従来例の技術を採用した場合には、簡易にオフセット電圧の異常を判断できるとはいいがたい。【０００８】
このため、簡易な構成でオフセット電圧の監視を行うことができる技術が望まれている。かかる要請に応えることが、本発明が解決すべき課題の一つとして挙げられる。
【課題を解決するための手段】
【０００９】
請求項１に記載の発明は、外部デバイスから入力された入力信号の電圧値の検出、前記入力信号の電圧値と基準値との大小関係の検出、及び、前記基準値に対する一方側に設定された少なくとも１つの閾値を前記入力信号の電圧値が超えたことの検出を行う検出部と；前記入力信号の電圧値が前記基準値を超えて前記一方側へ変化してから、前記入力信号の電圧値が前記一方側から前記基準値に戻るまでの期間に、前記少なくとも１つの閾値を前記入力信号の電圧値が超えた回数に基づいて、前記入力信号のオフセット電圧が異常であるかを判定するオフセット判定部と；を備えることを特徴とするオフセット電圧監視装置である。【００１０】
請求項７に記載の発明は、外部デバイスから入力された入力信号の電圧値の検出、前記入力信号の電圧値と基準値との大小関係の検出、及び、前記基準値に対する一方側に設定された少なくとも１つの閾値を前記入力信号の電圧値が超えたことの検出を行う検出部を備え、前記入力信号におけるオフセット電圧の監視を行うオフセット電圧監視装置において使用されるオフセット電圧監視方法であって、前記検出部による検出結果を取得する取得工程と；前記取得工程における取得結果に基づいて、前記入力信号の電圧値が前記基準値を超えて前記一方側へ変化してから、前記入力信号の電圧値が前記一方側から前記基準値に戻るまでの期間に、前記少なくとも１つの閾値を前記入力信号の電圧値が超えた回数に基づいて、前記入力信号のオフセット電圧が異常であるかを判定するオフセット判定工程と；を備えることを特徴とするオフセット電圧監視方法である。【００１１】
請求項８に記載の発明は、外部デバイスから入力された入力信号におけるオフセット電圧の監視を行うオフセット電圧監視装置が有するコンピュータに、請求項７に記載のオフセット電圧監視方法を実行させる、ことを特徴とするオフセット電圧監視プログラムである。【００１２】
請求項９に記載の発明は、外部デバイスから入力された入力信号におけるオフセット電圧の監視を行うオフセット電圧監視装置が有するコンピュータにより読み取り可能に、請求項８に記載のオフセット電圧監視プログラムが記録されている、ことを特徴とする記録媒体である。
【図面の簡単な説明】
【００１３】
【図１】本発明の第１実施形態のオフセット電圧監視装置の構成を概略的に示すブロック図である。
【図２】図１の検出部の構成を説明するための図である。
【図３】図１のオフセット判定部の構成を説明するための図である。
【図４】オフセット電圧が正常の場合における図３の計数部による計数動作を説明するためのタイミングチャートである。
【図５】オフセット電圧が異常の場合における図３の計数部による計数動作を説明するためのタイミングチャートである。
【図６】本発明の第２実施形態のオフセット電圧監視装置の構成を概略的に示すブロック図である。
【図７】図６の検出部の構成を説明するための図である。
【図８】図６のオフセット判定部の構成を説明するための図である。
【図９】オフセット電圧が正常の場合における図８の計数部による計数動作を説明するためのタイミングチャートである。
【図１０】オフセット電圧が異常の場合における図８の計数部による計数動作を説明するためのタイミングチャートである（その１）。
【図１１】オフセット電圧が異常の場合における図８の計数部による計数動作を説明するためのタイミングチャートである（その２）。
【図１２】本発明の第３実施形態のオフセット電圧監視装置の構成を概略的に示すブロック図である。
【図１３】図１２のオフセット判定部の構成を説明するための図である。
【図１４】オフセット電圧が正常の場合における図１３の計数部による計数動作を説明するためのタイミングチャートである。
【図１５】オフセット電圧が異常の場合における図１３の計数部による計数動作を説明するためのタイミングチャートである。
【符号の説明】
【００１４】
１００Ａ，１００Ｂ，１００Ｃ  …  オフセット電圧監視装置
１１０Ａ，１１０Ｂ            …  検出部
１２０Ａ，１２０Ｂ，１２０Ｃ  …  オフセット判定部
１２１Ａ，１２１Ｂ，１２１Ｃ  …  計数部
１２２                        …  判定部
ＴＯ2                         …  出力端子
【発明を実施するための形態】
【００１５】
以下、本発明の実施形態を、添付図面を参照して説明する。なお、以下の説明及び図面においては、同一又は同等の要素には同一の符号を付し、重複する説明を省略する。
【００１６】
［第１実施形態］
まず、本発明の第１実施形態を、図１〜図５を参照して説明する。
【００１７】
＜構成＞
図１には、第１実施形態に係るオフセット電圧監視装置１００Ａの概略的な構成がブロック図にて示されている。この図１に示されるように、オフセット電圧監視装置１００Ａは、信号源３１０から送られた音信号ＩＰＳをパワー増幅した後、スイッチ素子３３０1，３３０2を介してスピーカ３４０へ供給するパワー増幅器（ＰＡ）３２０の出力信号Ｓ1，Ｓ2のオフセット電圧を監視する。ここで、信号源３１０から出力される音信号ＩＰＳとしては、例えば、音響装置における音量調整された音響信号、音声放送受信装置における音量調整された音声信号等が挙げられる。
【００１８】
第１実施形態では、パワー増幅器３２０は、ＢＴＬ方式を採用している。このため、出力信号Ｓ1の電圧値は、理想的には、パワー増幅器３２０に供給される電源電圧値ＶDD（＞０）の（１／２）である基準値ＶST（＝ＶDD／２）を対称中心として、出力信号Ｓ2の電圧値と対称な値となるようになっている。また、スイッチ素子３３０1，３３０2は、開閉型のスイッチ素子であり、オフセット電圧監視装置１００Ａから送られた供給制御指定ＯＳＣの「ＯＮ」／「ＯＦＦ」に応じて、閉塞状態／開放状態となる。
【００１９】
なお、第１実施形態では、出力信号Ｓ1，Ｓ2の電圧値は、０〜ＶDDの範囲内で変化するようになっている。このため、出力信号Ｓ1，Ｓ2の電圧値は、当該電圧値の絶対値と一致するとともに、基準値ＶSTは、当該基準値ＶSTの絶対値と一致している。
【００２０】
上記のオフセット電圧監視装置１００Ａは、図１に示されるように、入力端子ＴＩ1，ＴＩ2と、検出部１１０Ａとを備えている。また、オフセット電圧監視装置１００Ａは、オフセット判定部１２０Ａと、出力端子ＴＯ1，ＴＯ2とを備えている。
【００２１】
上記の入力端子ＴＩ1，ＴＩ2には、パワー増幅器３２０の出力信号Ｓ1，Ｓ2が入力される。こうした入力された出力信号Ｓ1，Ｓ2は、検出部１１０Ａへ送られる。
【００２２】
上記の検出部１１０Ａは、出力信号Ｓ1，Ｓ2を受ける。そして、検出部１１０Ａは、まず、出力信号Ｓ1，Ｓ2の電圧値ＶＤ1，ＶＤ2を検出する。引き続き、検出部１１０Ａは、電圧値ＶＤ1，ＶＤ2と基準値ＶSTとの大小関係を検出する。そして、検出部１１０Ａは、電圧値ＶＤ1が基準値ＶST以下であると「ＯＦＦ」となり、電圧値ＶＤ1が基準値ＶSTを超えると「ＯＮ」となる信号ＣＲ1を生成する。また、検出部１１０Ａは、電圧値ＶＤ2が基準値ＶST以下であると「ＯＦＦ」となり、電圧値ＶＤ2が基準値ＶSTを超えると「ＯＮ」となる信号ＣＲ2を生成する。こうして生成された信号ＣＲ1，ＣＲ2は、オフセット判定部１２０Ａへ送られる。
【００２３】
また、検出部１１０Ａは、信号ＣＲ1，ＣＲ2の生成動作と並行して、電圧値ＶＤ1，ＶＤ2と、予め定められた１個の閾値ＶTHとの大小関係を検出する。そして、検出部１１０Ａは、電圧値ＶＤ1が閾値ＶTH以下であると「ＯＦＦ」となり、電圧値ＶＤ1が閾値ＶTHを超えると「ＯＮ」となる信号ＯＴ1を生成する。また、検出部１１０Ａは、電圧値ＶＤ2が閾値ＶTH以下であると「ＯＦＦ」となり、電圧値ＶＤ2が閾値ＶTHを超えると「ＯＮ」となる信号ＯＴ2を生成する。すなわち、検出部１１０Ａは、出力信号Ｓ1，Ｓ2の閾値超を検出し、閾値超が検出されると、信号ＯＴ1，ＯＴ2を「ＯＮ」とするようになっている。こうして生成された信号ＯＴ1，ＯＴ2は、オフセット判定部１２０Ａへ送られる。
【００２４】
なお、検出部１１０Ａの構成の詳細については、後述する。
【００２５】
上記のオフセット判定部１２０Ａは、検出部１１０Ａから送られた信号ＣＲ1，ＣＲ2，ＯＴ1，ＯＴ2を受ける。引き続き、オフセット判定部１２０Ａは、信号ＣＲ1，ＣＲ2，ＯＴ1，ＯＴ2に基づいて、出力信号Ｓ1及び出力信号Ｓ2の少なくとも一方のオフセット電圧が異常であるか否かを判定する。
【００２６】
そして、オフセット判定部１２０Ａは、出力信号Ｓ1及び出力信号Ｓ2の双方のオフセット電圧が異常ではないと判定されている場合には「ＯＮ」となり、出力信号Ｓ1及び出力信号Ｓ2の少なくとも一方のオフセット電圧が異常であると判定された場合には「ＯＦＦ」となる供給制御指定ＯＳＣを生成する。こうして生成された供給制御指定ＯＳＣは、出力端子ＴＯ1を介して、スイッチ素子３３０1，３３０2へ送られる。
【００２７】
また、オフセット判定部１２０Ａは、供給制御指定ＯＳＣの生成動作と並行して、出力信号Ｓ1及び出力信号Ｓ2の双方のオフセット電圧が異常ではないと判定されている場合には「ＯＦＦ」となり、出力信号Ｓ1及び出力信号Ｓ2の少なくとも一方のオフセット電圧が異常であると判定された場合には「ＯＮ」となるオフセット異常指示ＯＡＢを生成する。こうして生成されたオフセット電圧異常指示ＯＡＢは、出力端子ＴＯ2を介して、情報処理装置４００へ送られる。かかるオフセット異常指示ＯＡＢが「ＯＮ」となると、情報処理装置４００は、画像表示、音声出力等により、利用者にオフセット電圧異常を提示する。
【００２８】
なお、オフセット判定部１２０Ａの構成の詳細については、後述する。
【００２９】
《検出部１１０Ａの構成》
次に、上述した検出部１１０Ａの構成について説明する。
【００３０】
検出部１１０Ａは、図２に示されるように、電圧検出部１１１を備えている。また、検出部１１０Ａは、基準値比較部１１２と、閾値超検出部１１３Ａとを備えている。
【００３１】
上記の電圧検出部１１１は、パワー増幅器３２０から送られた出力信号Ｓ1，Ｓ2を受ける。そして、電圧検出部１１１は、出力信号Ｓ1の電圧値を検出する。この検出結果は、検出電圧値ＶＤ1として、基準値比較部１１２及び閾値超検出部１１３Ａへ送られる。
【００３２】
また、電圧検出部１１１は、出力信号Ｓ1の電圧値の検出動作と並行して、出力信号Ｓ2の電圧値を検出する。この検出結果は、検出電圧値ＶＤ2として、基準値比較部１１２及び閾値超検出部１１３Ａへ送られる。
【００３３】
上記の基準値比較部１１２は、電圧検出部１１１から送られた検出電圧値ＶＤ1，ＶＤ2を受ける。引き続き、基準値比較部１１２は、検出電圧値ＶＤ1と基準値ＶSTとを比較する。基準値比較部１１２は、検出電圧値ＶＤ1が基準値ＶST以下であると「ＯＦＦ」となり、検出電圧値ＶＤ1が基準値ＶSTを超えると「ＯＮ」となる信号ＣＲ1を生成する。こうして生成された信号ＣＲ1は、オフセット判定部１２０Ａへ送られる。
【００３４】
また、基準値比較部１１２は、信号ＣＲ1の生成動作と並行して、検出電圧値ＶＤ2と基準値ＶSTとを比較する。基準値比較部１１２は、検出電圧値ＶＤ2が基準値ＶST以下であると「ＯＦＦ」となり、検出電圧値ＶＤ2が基準値ＶSTを超えると「ＯＮ」となる信号ＣＲ2を生成する。こうして生成された信号ＣＲ2は、オフセット判定部１２０Ａへ送られる。
【００３５】
すなわち、基準値比較部１１２は、検出電圧値ＶＤ1，ＶＤ2のそれぞれと基準値ＶSTとを比較することにより、検出電圧値ＶＤ1，ＶＤ2のそれぞれと基準値ＶSTとの大小関係の検出を行う。そして、基準値比較部１１２は、当該検出の結果に基づいて、検出電圧値ＶＤ1，ＶＤ2のＯＮ／ＯＦＦを行うようになっている。
【００３６】
上記の閾値超検出部１１３Ａは、電圧検出部１１１から送られた検出電圧値ＶＤ1，ＶＤ2を受ける。引き続き、閾値超検出部１１３Ａは、検出電圧値ＶＤ1と閾値ＶTHとを比較する。そして、閾値超検出部１１３Ａは、検出電圧値ＶＤ1が閾値ＶTH以下であると「ＯＦＦ」となり、検出電圧値ＶＤ1が閾値ＶTHを超えると「ＯＮ」となる信号ＯＴ1を生成する。こうして生成された信号ＯＴ1は、オフセット判定部１２０Ａへ送られる。
【００３７】
また、閾値超検出部１１３Ａは、信号ＯＴ1の生成動作と並行して、検出電圧値ＶＤ2と閾値ＶTHとを比較する。そして、閾値超検出部１１３Ａは、検出電圧値ＶＤ2が閾値ＶTH以下であると「ＯＦＦ」となり、検出電圧値ＶＤ2が閾値ＶTHを超えると「ＯＮ」となる信号ＯＴ2を生成する。こうして生成された信号ＯＴ2は、オフセット判定部１２０Ａへ送られる。
【００３８】
なお、閾値ＶTHは、閾値ＶTHの電圧値の信号が継続してスピーカ３４０に供給されてもスピーカ３４０を破損させないとの観点、及び、閾値ＶTHを極力大きくするとの観点から、スピーカ３４０の仕様等に基づいて予め定められる。
【００３９】
《オフセット判定部１２０Ａの構成》
次いで、上述したオフセット判定部１２０Ａの構成について説明する。
【００４０】
オフセット判定部１２０Ａは、図３に示されるように、計数部１２１Ａと、判定部１２２とを備えている。ここで、計数部１２１Ａは、個別計数部（ＣＮＴ）２１０1，２１０2を備えている。
【００４１】
上記の個別計数部２１０1は、検出部１１０Ａから送られた信号ＯＴ1，ＣＲ1を受ける。そして、個別計数部２１０1は、信号ＣＲ1が「ＯＮ」である期間に、信号ＯＴ1が「ＯＦＦ」から「ＯＮ」に変化した数を計数する。また、個別計数部２１０1は、信号ＣＲ1が「ＯＦＦ」となると、計数値を「０」クリアする。
【００４２】
すなわち、個別計数部２１０1は、検出電圧値ＶＤ1が基準値ＶSTを超えてから基準値ＶST以下となるまでの期間（検出電圧値ＶＤ1が基準値ＶSTを超え、基準値ＶSTに対する閾値ＶTH側の電圧値となってから基準値ＶSTに戻るまでの期間）に、検出電圧値ＶＤ1が閾値ＶTHを超えた回数を計数する。個別計数部２１０1による計数結果は、計数値ＣＴ1として、判定部１２２へ送られる。
【００４３】
上記の個別計数部２１０2は、検出部１１０Ａから送られた信号ＯＴ2，ＣＲ2を受ける。そして、個別計数部２１０2は、信号ＣＲ2が「ＯＮ」である期間に、信号ＯＴ2が「ＯＦＦ」から「ＯＮ」に変化した数を計数する。また、個別計数部２１０2は、信号ＣＲ2が「ＯＦＦ」となると、計数値を「０」クリアする。
【００４４】
すなわち、個別計数部２１０2は、検出電圧値ＶＤ2が基準値ＶSTを超えてから基準値ＶST以下となるまでの期間（検出電圧値ＶＤ2が基準値ＶSTを超え、基準値ＶSTに対する閾値ＶTH側の電圧値となってから基準値ＶSTに戻るまでの期間）に、検出電圧値ＶＤ2が閾値ＶTHを超えた回数を計数する。個別計数部２１０2による計数結果は、計数値ＣＴ2として、判定部１２２へ送られる。
【００４５】
上記の判定部１２２は、計数部１２１Ａから送られた計数値ＣＴ1，ＣＴ2を受ける。そして、判定部１２２は、計数値ＣＴ1が所定値Ｎ（例えば、Ｎ＝２０）に達すると、出力信号Ｓ1のオフセット電圧が異常であると判定する。また、判定部１２２は、計数値ＣＴ2が所定値Ｎに達すると、出力信号Ｓ2のオフセット電圧が異常であると判定する。
【００４６】
かかる判定により、出力信号Ｓ1及び出力信号Ｓ2の双方のオフセット電圧が異常ではないと判定されている場合には「ＯＮ」となり、出力信号Ｓ1及び出力信号Ｓ2の少なくとも一方のオフセット電圧が異常であると判定された場合には「ＯＦＦ」となる供給制御指定ＯＳＣを、判定部１２２が生成する。こうして生成された供給制御指定ＯＳＣは、出力端子ＴＯ1へ送られる。
【００４７】
また、出力信号Ｓ1及び出力信号Ｓ2の双方のオフセット電圧が異常ではないと判定されている場合には「ＯＦＦ」となり、出力信号Ｓ1及び出力信号Ｓ2の少なくとも一方のオフセット電圧が異常であると判定された場合には「ＯＮ」となるオフセット異常指示ＯＡＢを、判定部１２２が、供給制御指定ＯＳＣの生成動作と並行して生成する。こうして生成されたオフセット異常指示ＯＡＢは、出力端子ＴＯ2へ送られる。
【００４８】
なお、所定値Ｎは、スピーカ３４０を破損させないとの観点から、スピーカ３４０の仕様等に基づいて予め定められる。
【００４９】
＜動作＞
次に、上記のように構成されたオフセット電圧監視装置１００Ａの動作について、計数部１２１Ａによる計数動作に主に着目して説明する。
【００５０】
なお、パワー増幅器３２０、検出部１１０Ａは、既に動作を開始しており、信号ＯＴ1，ＯＴ2，ＣＲ1，ＣＲ2が、計数部１２１Ａへ逐次送られているものとする。また、当初においては、判定部１２２は、供給制御指定ＯＳＣを「ＯＮ」とするとともに、オフセット異常指示ＯＡＢを「ＯＦＦ」としているものとする。すなわち、当初においては、スイッチ素子３３０1，３３０2が閉塞状態となり、パワー増幅器３２０により生成された出力信号Ｓ1，Ｓ2がスピーカ３４０に供給されているものする。
【００５１】
以下、計数部１２１Ａの個別計数部２１０1の計数の動作を例示して説明する。かかる個別計数部２１０1の計数の動作は、信号ＣＲ1が連続的「ＯＮ」となっている期間において、信号ＯＴ1が「ＯＦＦ」から「ＯＮ」に変化した回数を計数する動作である。なお、当初においては、検出電圧値ＶＤ1は基準値ＶST以下であり、信号ＣＲ1は「ＯＦＦ」であるものとする。この結果、計数値ＣＴ1は「０」となっているものとする。
【００５２】
こうした当初状態の後、検出電圧値ＶＤ1が基準値ＶSTを超えると、信号ＣＲ1が「ＯＦＦ」から「ＯＮ」に変化する。この結果、個別計数部２１０1が計数可能状態となる。
【００５３】
こうして個別計数部２１０1が計数可能な状態となった後、検出電圧値ＶＤ1が閾値ＶTHを超えないまま推移すると、個別計数部２１０1の計数値ＣＴ1は「０」が維持される。一方、個別計数部２１０1が計数可能な状態となった後、検出電圧値ＶＤ1が閾値ＶTHを超えると、信号ＯＴ1が「ＯＦＦ」から「ＯＮ」に変化する。この結果、個別計数部２１０1の計数値ＣＴ1が「０」から「１」に変化する。
【００５４】
この後、基準値ＶST以下となることなく、検出電圧値ＶＤ1が閾値ＶTH以下となった後に閾値ＶTHを超えるたびに、個別計数部２１０1の計数値は、１ずつ増加していく。一方、検出電圧値ＶＤ1が閾値ＶTH以下となった後に基準値ＶST以下となると、個別計数部２１０1の計数値は「０」クリアされる。
【００５５】
なお、計数部１２１Ａの個別計数部２１０2も、上述した個別計数部２１０1の計数の動作の場合と同様にして、信号ＣＲ2が連続的に「ＯＮ」となっている期間において、信号ＯＴ2が「ＯＦＦ」から「ＯＮ」に変化した回数を計数する動作を実行する。
【００５６】
こうして行われる個別計数部２１０1及び個別計数部２１０2による計数により、計数値ＣＴ1及び計数値ＣＴ2の少なくとも一方が所定値に達すると、判定部１２２が、オフセット電圧異常状態になったと判定する。そして、判定部１２２は、供給制御指定ＯＳＣを「ＯＦＦ」とするとともに、オフセット異常指示ＯＡＢを「ＯＮ」とする。
【００５７】
この結果、スイッチ素子３３０1，３３０2が開放状態となり、パワー増幅器３２０の出力信号Ｓ1，Ｓ2のスピーカ３４０への供給が停止される。また、情報処理装置４００が、利用者にオフセット電圧異常を提示する。
【００５８】
なお、図４には、パワー増幅器３２０の出力信号Ｓj（ｊ＝１，２）にオフセット電圧異常がない場合の個別計数部２１０jによる計数動作のタイミングチャートの例が示されている。この図４に示される例では、出力信号Ｓjの検出電圧値ＶＤjが閾値ＶTHを超えたとしても、計数値ＣＴjが大きくなる前に検出電圧値ＶＤjが基準値ＶST以下となり、計数値ＣＴjが「０」クリアされる。このため、計数値ＣＴjが所定値に達することがない。
【００５９】
また、図５には、パワー増幅器３２０の出力信号Ｓjにオフセット電圧異常がある場合の個別計数部２１０jによる計数動作のタイミングチャートの例が示されている。この図５に示される例では、出力信号Ｓjの検出電圧値ＶＤjが閾値ＶTHを超えた後、検出電圧値ＶＤjが、基準値ＶST以下となることなく、閾値超を繰り返す。この結果、計数値ＣＴjが「０」クリアされずに、計数値ＣＴjが増大していく。このため、計数値ＣＴjが所定値に達することになる。
【００６０】
以上説明したように第１実施形態では、検出部１１０Ａが、パワー増幅器３２０の出力信号Ｓ1，Ｓ2を入力信号として、入力信号の検出電圧値ＶＤ1，ＶＤ2の検出、検出電圧値ＶＤ1，ＶＤ2と基準値ＶSTとの大小関係の検出、及び、１つの閾値ＶTHについて検出電圧値ＶＤ1，ＶＤ2が超えたことの検出を行う。引き続き、検出電圧値ＶＤ1，ＶＤ2のそれぞれについて、オフセット判定部１２０Ａにおける計数部１２１Ａが、基準値ＶSTを超えてから基準値ＶST以下となるまでの期間に、検出電圧値ＶＤ1が閾値ＶTHを超えた回数、及び、検出電圧値ＶＤ2が閾値ＶTHを超えた回数をそれぞれ計数する。そして、オフセット判定部１２０Ａにおける判定部１２２が、計数部１２１Ａによる２つの計数結果のいずれかが所定値に達したら、オフセット電圧異常があると判定する。
【００６１】
したがって、第１実施形態によれば、タイマ機能を実装しない簡易な構成で、オフセット電圧の監視を常時行うことができる。
【００６２】
また、第１実施形態では、オフセット判定部１２０Ａによる判定結果を外部へ出力するための出力端子ＴＯ2を更に備える。このため、オフセット電圧異常の発生を外部に通知することができる。
【００６３】
また、第１実施形態では、オフセット判定部１２０Ａが、オフセット電圧が異常であると判定した場合には、パワー増幅器３２０からスピーカ３４０への出力信号Ｓ1，Ｓ2の供給を停止させる制御を行う。このため、オフセット電圧が異常となっている場合には、迅速に、パワー増幅器３２０からスピーカ３４０への出力信号Ｓ1，Ｓ2の供給を停止させることができる。
【００６４】
［第２実施形態］
次に、本発明の第２実施形態を、図６〜図１１を主に参照して説明する。
【００６５】
＜構成＞
図６には、第２実施形態に係るオフセット電圧監視装置１００Ｂの概略的な構成がブロック図にて示されている。この図６に示されるように、オフセット電圧監視装置１００Ｂは、上述した第１実施形態のオフセット電圧監視装置１００Ａ（図１参照）と比べて、検出部１１０Ａに代えて検出部１１０Ｂを備える点、及び、オフセット判定部１２０Ａに代えてオフセット判定部１２０Ｂを備える点が異なっている。以下、これらの相違点に主に着目して説明する。
【００６６】
《検出部１１０Ｂの構成》
上記の検出部１１０Ｂは、図７に示されるように、上述した検出部１１０Ａ（図２参照）と比べて、閾値超検出部１１３Ａに代えて閾値超検出部１１３Ｂを備えている点が異なっている。
【００６７】
上記の閾値超検出部１１３Ｂは、電圧検出部１１１から送られた検出電圧値ＶＤ1，ＶＤ2を受ける。引き続き、閾値超検出部１１３Ｂは、検出電圧値ＶＤ1と第１閾値ＶTH1（＞０）とを比較する。そして、閾値超検出部１１３Ｂは、検出電圧値ＶＤ1が第１閾値ＶTH1以下であると「ＯＦＦ」となり、検出電圧値ＶＤ1が第１閾値ＶTH1を超えると「ＯＮ」となる信号ＯＴ11を生成する。こうして生成された信号ＯＴ11は、オフセット判定部１２０Ｂへ送られる。
【００６８】
また、閾値超検出部１１３Ｂは、信号ＯＴ11の生成動作と並行して、検出電圧値ＶＤ1と第２閾値ＶTH2（＞ＶTH1）とを比較する。そして、閾値超検出部１１３Ｂは、検出電圧値ＶＤ1が第２閾値ＶTH2以下であると「ＯＦＦ」となり、検出電圧値ＶＤ1が第２閾値ＶTH2を超えると「ＯＮ」となる信号ＯＴ12を生成する。こうして生成された信号ＯＴ12は、オフセット判定部１２０Ｂへ送られる。
【００６９】
さらに、閾値超検出部１１３Ｂは、信号ＯＴ11，ＯＴ12の生成動作と並行して、検出電圧値ＶＤ2と第１閾値ＶTH1とを比較する。そして、閾値超検出部１１３Ｂは、検出電圧値ＶＤ2が第１閾値ＶTH1以下であると「ＯＦＦ」となり、検出電圧値ＶＤ2が第１閾値ＶTH1を超えると「ＯＮ」となる信号ＯＴ21を生成する。こうして生成された信号ＯＴ21は、オフセット判定部１２０Ｂへ送られる。
【００７０】
また、閾値超検出部１１３Ｂは、信号ＯＴ11，ＯＴ12，ＯＴ21の生成動作と並行して、検出電圧値ＶＤ2と第２閾値ＶTH2とを比較する。そして、閾値超検出部１１３Ｂは、検出電圧値ＶＤ2が第２閾値ＶTH2以下であると「ＯＦＦ」となり、検出電圧値ＶＤ2が第２閾値ＶTH2を超えると「ＯＮ」となる信号ＯＴ22を生成する。こうして生成された信号ＯＴ22は、オフセット判定部１２０Ｂへ送られる。
【００７１】
なお、第１閾値ＶTH1は、第１閾値ＶTH1の電圧値の信号を継続してスピーカ３４０に供給してもスピーカ３４０を破損させないとの観点、及び、第２閾値ＶTH2超ほどのオフセット電圧異常の可能性はないが、オフセット電圧異常の可能性はあるとの観点から、スピーカ３４０の仕様等に基づいて予め定められる。また、第２閾値ＶTH2は、第２閾値ＶTH2の電圧値の信号を継続してスピーカ３４０に供給してもスピーカ３４０を破損させないとの観点、及び、第２閾値ＶTH2を極力大きくするとの観点から、スピーカ３４０の仕様等に基づいて予め定められる。
【００７２】
《オフセット判定部１２０Ｂの構成》
次に、上記のオフセット判定部１２０Ｂの構成について説明する。
【００７３】
オフセット判定部１２０Ｂは、図８に示されるように、上述したオフセット判定部１２０Ａと比べて、計数部１２１Ａに代えて計数部１２１Ｂを備えている点が異なっている。この計数部１２１Ｂは、個別計数部２１０11，２１０12，２１０21，２１０22と、重み付け加算部２２０1，２２０2とを備えている。
【００７４】
上記の個別計数部２１０11は、検出部１１０Ｂから送られた信号ＯＴ11，ＣＲ1を受ける。そして、個別計数部２１０11は、信号ＣＲ1が「ＯＮ」である期間に、信号ＯＴ11が「ＯＦＦ」から「ＯＮ」に変化した数を計数する。また、個別計数部２１０11は、信号ＣＲ1が「ＯＦＦ」となると、計数値を「０」クリアする。
【００７５】
すなわち、個別計数部２１０11は、検出電圧値ＶＤ1が基準値ＶSTを超えてから基準値ＶST以下となるまでの期間に、検出電圧値ＶＤ1が第１閾値ＶTH1を超えた回数を計数する。個別計数部２１０11による計数結果は、計数値ＣＴ11として、重み付け加算部２２０1へ送られる。
【００７６】
上記の個別計数部２１０12は、検出部１１０Ｂから送られた信号ＯＴ12，ＣＲ1を受ける。そして、個別計数部２１０12は、信号ＣＲ1が「ＯＮ」である期間に、信号ＯＴ12が「ＯＦＦ」から「ＯＮ」に変化した数を計数する。また、個別計数部２１０12は、信号ＣＲ1が「ＯＦＦ」となると、計数値を「０」クリアする。
【００７７】
すなわち、個別計数部２１０12は、検出電圧値ＶＤ1が基準値ＶSTを超えてから基準値ＶST以下となるまでの期間に、検出電圧値ＶＤ1が第２閾値ＶTH2を超えた回数を計数する。個別計数部２１０12による計数結果は、計数値ＣＴ12として、重み付け加算部２２０1へ送られる。
【００７８】
上記の個別計数部２１０21は、検出部１１０Ｂから送られた信号ＯＴ21，ＣＲ2を受ける。そして、個別計数部２１０21は、信号ＣＲ2が「ＯＮ」である期間に、信号ＯＴ21が「ＯＦＦ」から「ＯＮ」に変化した数を計数する。また、個別計数部２１０21は、信号ＣＲ2が「ＯＦＦ」となると、計数値を「０」クリアする。
【００７９】
すなわち、個別計数部２１０21は、検出電圧値ＶＤ2が基準値ＶSTを超えてから基準値ＶST以下となるまでの期間に、検出電圧値ＶＤ2が第１閾値ＶTH1を超えた回数を計数する。個別計数部２１０21による計数結果は、計数値ＣＴ21として、重み付け加算部２２０2へ送られる。
【００８０】
上記の個別計数部２１０22は、検出部１１０Ｂから送られた信号ＯＴ22，ＣＲ2を受ける。そして、個別計数部２１０22は、信号ＣＲ2が「ＯＮ」である期間に、信号ＯＴ22が「ＯＦＦ」から「ＯＮ」に変化した数を計数する。また、個別計数部２１０22は、信号ＣＲ2が「ＯＦＦ」となると、計数値を「０」クリアする。
【００８１】
すなわち、個別計数部２１０22は、検出電圧値ＶＤ2が基準値ＶSTを超えてから、検出電圧値ＶＤ2が基準値ＶST以下となるまでの期間に、検出電圧値ＶＤ2が第２閾値ＶTH2を超えた回数を計数する。個別計数部２１０22による計数結果は、計数値ＣＴ22として、重み付け加算部２２０2へ送られる。
【００８２】
上記の重み付け加算部２２０1は、個別計数部２１０11から送られた計数値ＣＴ11、及び、個別計数部２１０12から送られた計数値ＣＴ12を受ける。そして、重み付け加算部２２０1は、次の（１）式により、計数値ＣＴ1を算出する。こうして算出された計数値ＣＴ1は、判定部１２２へ送られる。
ＣＴ1＝ＣＴ11＋Ｗ・ＣＴ12              …（１）
【００８３】
上記の重み付け加算部２２０2は、個別計数部２１０21から送られた計数値ＣＴ21、及び、個別計数部２１０22から送られた計数値ＣＴ22を受ける。そして、重み付け加算部２２０2は、次の（２）式により、計数値ＣＴ2を算出する。こうして算出された計数値ＣＴ2は、判定部１２２へ送られる。
ＣＴ2＝ＣＴ21＋Ｗ・ＣＴ22              …（２）
【００８４】
なお、定数Ｗ（＞１）は、第１閾値ＶTH1を超えた場合におけるオフセット電圧異常の蓋然性と、第２閾値ＶTH2を超えた場合におけるオフセット電圧異常の蓋然性とに基づいて、実験、シミュレーション、経験等に基づいて、予め定められる。第２実施形態では、定数Ｗ＝２としている。
【００８５】
＜動作＞
次に、上記のように構成されたオフセット電圧監視装置１００Ｂの動作について、計数部１２１Ｂによる計数動作に主に着目して説明する。
【００８６】
なお、パワー増幅器３２０、検出部１１０Ｂは、既に動作を開始しており、信号ＯＴ11，ＯＴ12，ＯＴ21，ＯＴ22，ＣＲ1，ＣＲ2が、計数部１２１Ｂへ逐次送られているものとする。また、当初においては、判定部１２２は、供給制御指定ＯＳＣを「ＯＮ」とするとともに、オフセット異常指示ＯＡＢを「ＯＦＦ」としているものとする。すなわち、当初においては、スイッチ素子３３０1，３３０2が閉塞状態となり、パワー増幅器３２０により生成された出力信号Ｓ1，Ｓ2がスピーカ３４０に供給されているものする。
【００８７】
以下、計数部１２１Ｂの個別計数部２１０11，２１０12及び重み付け加算部２２０1が協働して行う計数の動作を例示して説明する。かかる計数の動作は、信号ＣＲ1が連続的「ＯＮ」となっている期間において、信号ＯＴ11が「ＯＦＦ」から「ＯＮ」に変化した回数の重みを「１」とし、信号ＯＴ12が「ＯＦＦ」から「ＯＮ」に変化した回数の重みを「２」として計数する動作である。なお、当初においては、検出電圧値ＶＤ1は基準値ＶST以下であり、信号ＣＲ1は「ＯＦＦ」であるものとする。この結果、計数値ＣＴ11，ＣＴ12，ＣＴ1は「０」となっているものとする。
【００８８】
こうした当初状態の後、検出電圧値ＶＤ1が基準値ＶSTを超えると、信号ＣＲ1が「ＯＦＦ」から「ＯＮ」に変化する。この結果、個別計数部２１０11，２１０12が計数可能状態となる。個別計数部２１０11，２１０12が計数可能な状態となった後、検出電圧値ＶＤ1が第１閾値ＶTH1を超えないまま推移すると、個別計数部２１０11，２１０12の計数値ＣＴ11，ＣＴ12が「０」に維持される。この結果、計数値ＣＴ1が「０」に維持される。
【００８９】
一方、個別計数部２１０11，２１０12が計数可能な状態となった後、検出電圧値ＶＤ1が第１閾値ＶTH1を超え、信号ＯＴ11が「ＯＦＦ」から「ＯＮ」に変化すると、個別計数部２１０11の計数値ＣＴ11が「０」から「１」に変化する。この結果、計数値ＣＴ1が「０」から「１」に変化する。
【００９０】
さらに、検出電圧値ＶＤ1が第１閾値ＶTH1以下となることなく、検出電圧値ＶＤ1が第２閾値ＶTH2を超え、信号ＯＴ12が「ＯＦＦ」から「ＯＮ」に変化すると、個別計数部２１０12の計数値ＣＴ12が「０」から「１」に変化する。この結果、計数値ＣＴ1が「１」から「３」に変化する。
【００９１】
また、上記のようにして個別計数部２１０11の計数値ＣＴ11が「０」から「１」に変化した後に、第２閾値ＶTH2を超えることなく検出電圧値ＶＤ1が第１閾値ＶTH1以下となり、さらに基準値ＶST以下となることなく再度第１閾値ＶTH1を超えると、計数値ＣＴ11が「１」から「２」に変化する。この結果、計数値ＣＴ1が「１」から「２」に変化する。
【００９２】
以上のように、検出電圧値ＶＤ1が基準値ＶST以下とならない状態が継続している状態で第１閾値ＶTH1超が発生するたびに、計数値ＣＴ11が１だけ増加し、計数値ＣＴ1が１だけ増加していく。また、検出電圧値ＶＤ1が基準値ＶST以下とならない状態が継続している状態で第２閾値ＶTH2超が発生するたびに、計数値ＣＴ12が１だけ増加し、計数値ＣＴ1が２だけ増加していく。
【００９３】
一方、検出電圧値ＶＤ1が基準値ＶST以下となると、計数値ＣＴ11，ＣＴ12は共に「０」となる。この結果、計数値ＣＴ1も「０」となる。
【００９４】
なお、計数部１２１Ｂの個別計数部２１０21，２１０22及び重み付け加算部２２０2も協働して、上述した個別計数部２１０11，２１０12及び重み付け加算部２２０1が協働して行う計数の動作の場合と同様にして、信号ＣＲ2が連続的「ＯＮ」となっている期間において、信号ＯＴ21が「ＯＦＦ」から「ＯＮ」に変化した回数の重みを「１」とし、信号ＯＴ22が「ＯＦＦ」から「ＯＮ」に変化した回数の重みを「２」として計数する動作を実行する。
【００９５】
こうして行われる計数部１２１Ｂにおける計数動作により、計数値ＣＴ1及び計数値ＣＴ2の少なくとも一方が所定値に達すると、判定部１２２が、オフセット電圧異常状態になったと判定する。そして、判定部１２２は、供給制御指定ＯＳＣを「ＯＦＦ」とするとともに、オフセット異常指示ＯＡＢを「ＯＮ」とする。
【００９６】
この結果、スイッチ素子３３０1，３３０2が開放状態となり、パワー増幅器３２０の出力信号Ｓ1，Ｓ2のスピーカ３４０への供給が停止される。また、情報処理装置４００が、利用者にオフセット電圧異常を提示する。
【００９７】
なお、図９には、パワー増幅器３２０の出力信号Ｓj（ｊ＝１，２）にオフセット電圧異常がない場合の計数部１２１Ｂにおける計数動作のタイミングチャートの例が示されている。この図９に示される例では、出力信号Ｓjの検出電圧値ＶＤjが第１閾値ＶTH1又は第２閾値ＶTH2を超えたとしても、計数値ＣＴjが大きくなる前に検出電圧値ＶＤjが基準値ＶST以下となり、計数値ＣＴjが「０」クリアされる。このため、計数値ＣＴjが所定値に達することがない。
【００９８】
また、図１０には、パワー増幅器３２０の出力信号Ｓjにオフセット電圧異常がある場合の計数部１２１Ｂにおける計数動作のタイミングチャートの第１例が示されている。更に、図１１には、パワー増幅器３２０の出力信号Ｓjにオフセット電圧異常がある場合の計数部１２１Ｂにおける計数動作のタイミングチャートの第２例が示されている。これらの図１０及び図１１に示される例では、出力信号Ｓjの検出電圧値ＶＤjが第１閾値ＶTH1を超えた後、検出電圧値ＶＤjが、基準値ＶST以下となることなく、閾値超を繰り返す。この結果、計数値ＣＴjが「０」クリアされずに、計数値ＣＴjが増大していく。このため、計数値ＣＴjが所定値に達することになる。
【００９９】
以上説明したように第２実施形態では、検出部１１０Ｂが、パワー増幅器３２０の出力信号Ｓ1，Ｓ2を入力信号として、入力信号の検出電圧値ＶＤ1，ＶＤ2の検出、検出電圧値ＶＤ1，ＶＤ2と基準値ＶSTとの大小関係の検出、及び、２つの閾値ＶTH1，ＶTH2（＞ＶTH1）のそれぞれについて検出電圧値ＶＤ1，ＶＤ2が超えたことの検出を行う。引き続き、オフセット判定部１２０Ｂにおける計数部１２１Ｂが、基準値ＶSTを超えてから基準値ＶST以下となるまでの期間に、基準値ＶSTとの電圧差が大きな値に設定されている閾値ほど大きな重み付けを行いつつ、２つの閾値ＶTH1，ＶTH2ごとの閾値超の回数の和を、検出電圧値ＶＤ1，ＶＤ2のそれぞれについて計数する。そして、オフセット判定部１２０Ｂにおける判定部１２２が、計数部１２１Ｂによる２つの計数結果のいずれかが所定値に達したら、オフセット電圧異常があると判定する。
【０１００】
したがって、第２実施形態によれば、上述した第１実施形態の場合と同様に、タイマ機能を実装しない簡易な構成で、オフセット電圧の監視を常時行うことができる。さらに、第２実施形態によれば、基準値との電圧差が大きな値に設定されている閾値ほど大きな重み付けを行いつつ、複数の閾値のそれぞれについての閾値超の回数の和に基づいてオフセット電圧異常を判定するので、第１実施形態の場合よりも精度良く、かつ、オフセット電圧異常の発生の蓋然性が高いほど迅速にオフセット電圧異常を検出することができる態様で、オフセット電圧の監視を常時行うことができる。
【０１０１】
また、第２実施形態では、第１実施形態の場合と同様に、オフセット判定部１２０Ｂによる判定結果を外部へ出力するための出力端子ＴＯ2を更に備える。このため、オフセット電圧異常の発生を外部に通知することができる。
【０１０２】
また、第２実施形態では、第１実施形態の場合と同様に、オフセット判定部１２０Ｂが、オフセット電圧が異常であると判定した場合には、パワー増幅器３２０からスピーカ３４０への出力信号Ｓ1，Ｓ2の供給を停止させる制御を行う。このため、オフセット電圧が異常となっている場合には、迅速に、パワー増幅器３２０からスピーカ３４０への出力信号Ｓ1，Ｓ2の供給を停止させることができる。
【０１０３】
［第３実施形態］
次いで、本発明の第３実施形態を、図１２〜図１５を主に参照して説明する。
【０１０４】
＜構成＞
図１２には、第３実施形態に係るオフセット電圧監視装置１００Ｃの概略的な構成がブロック図にて示されている。この図１２に示されるように、オフセット電圧監視装置１００Ｃは、上述した第２実施形態のオフセット電圧監視装置１００Ｂ（図６参照）と比べて、オフセット判定部１２０Ｂに代えてオフセット判定部１２０Ｃを備える点が異なっている。以下、この相違点に主に着目して説明する。
【０１０５】
《オフセット判定部１２０Ｃの構成》
上記のオフセット判定部１２０Ｃは、図１３に示されるように、上述したオフセット判定部１２０Ｂ（図８参照）と比べて、計数部１２１Ｂに代えて計数部１２１Ｃを備えている点が異なっている。この計数部１２１Ｃは、個別計数部２１０1，２１０2と、排他論理和部２３０1，２３０2を更に備えている。すなわち、計数部１２１Ｃは、上述した第１実施形態の計数部１２１Ａ（図３参照）の構成要素である個別計数部２１０1，２１０2に加えて、排他論理和部２３０1，２３０2を更に備える構成となっている。
【０１０６】
上記の排他論理和部２３０1は、検出部１１０Ｂから送られた信号ＯＴ11，ＯＴ12を受ける。そして、排他論理和部２３０1は、「ＯＮ」を論理「１」とし、かつ、「ＯＦＦ」を論理「０」として、信号ＯＴ11と信号ＯＴ12との排他論理和を算出する。排他論理和部２３０1による算出結果は、計数トリガ信号ＴＧ1として、個別計数部２１０1へ送られる。かかる計数トリガ信号ＴＧ1は、検出電圧値ＶＤ1が第１閾値ＶTH1を超え、かつ、第２閾値ＶTH2以下の期間に「ＯＮ」となり、その他の期間の「ＯＦＦ」となる。
【０１０７】
第３実施形態では、個別計数部２１０1は、計数トリガ信号ＴＧ1が「ＯＦＦ」から「ＯＮ」に変化した回数を計数する。このため、個別計数部２１０1は、検出電圧値ＶＤ1が第１閾値ＶTH1以下から第１閾値ＶTH1を超える変化した時点（信号ＯＴ11が「ＯＦＦ」から「ＯＮ」に変化した時点）で計数値を１だけ増加させることにより、第１閾値ＶTH1超の回数を計数する。また、個別計数部２１０1は、検出電圧値ＶＤ1が第２閾値ＶTH2を超えた後に第２閾値ＶTH2以下に変化した時点（信号ＯＴ12が「ＯＮ」から「ＯＦＦ」に変化した時点）で計数値を１だけ増加させることにより、第２閾値ＶTH2超の回数を計数する。このため、第３実施形態では、個別計数部２１０1は、検出電圧値ＶＤ1の第１閾値ＶTH1超の回数と、検出電圧値ＶＤ1の第２閾値ＶTH2超の回数との和を計数するようになっている。かかる個別計数部２１０1による計数結果が、計数値ＣＴ1として、判定部１２２へ送られる。
【０１０８】
なお、第３実施形態でも、信号ＣＲ1が「ＯＦＦ」となると、個別計数部２１０1の計数値は「０」クリアされる。
【０１０９】
上記の排他論理和部２３０2は、検出部１１０Ｂから送られた信号ＯＴ21，ＯＴ22を受ける。そして、排他論理和部２３０2は、「ＯＮ」を論理「１」とし、かつ、「ＯＦＦ」を論理「０」として、信号ＯＴ21と信号ＯＴ22との排他論理和を算出する。排他論理和部２３０2による算出結果は、計数トリガ信号ＴＧ2として、個別計数部２１０2へ送られる。かかる計数トリガ信号ＴＧ2は、検出電圧値ＶＤ2が第１閾値ＶTH1を超え、かつ、第２閾値ＶTH2以下の期間に「ＯＮ」となり、その他の期間の「ＯＦＦ」となる。
【０１１０】
第３実施形態では、個別計数部２１０2は、上述した個別計数部２１０1の場合と同様に、計数トリガ信号ＴＧ2が「ＯＦＦ」から「ＯＮ」に変化した回数を計数する。このため、個別計数部２１０2は、検出電圧値ＶＤ2が第１閾値ＶTH1以下から第１閾値ＶTH2を超える変化した時点で計数値を１だけ増加させることにより、第１閾値ＶTH1超の回数を計数する。また、個別計数部２１０2は、検出電圧値ＶＤ2が第２閾値ＶTH2を超えた後に第２閾値ＶTH2以下に変化した時点で計数値を１だけ増加させることにより、第２閾値ＶTH2超の回数を計数する。このため、第３実施形態では、個別計数部２１０2は、検出電圧値ＶＤ2の第１閾値ＶTH1超の回数と、検出電圧値ＶＤ2の第２閾値ＶTH2超の回数との和を計数するようになっている。かかる個別計数部２１０2による計数結果が、計数値ＣＴ2として、判定部１２２へ送られる。
【０１１１】
なお、第３実施形態でも、信号ＣＲ2が「ＯＦＦ」となると、個別計数部２１０2の計数値は「０」クリアされる。
【０１１２】
＜動作＞
次に、上記のように構成されたオフセット電圧監視装置１００Ｃの動作について、計数部１２１Ｃによる計数動作に主に着目して説明する。
【０１１３】
なお、パワー増幅器３２０、検出部１１０Ｂは、既に動作を開始しており、信号ＯＴ11，ＯＴ12，ＯＴ21，ＯＴ22，ＣＲ1，ＣＲ2が、計数部１２１Ｃへ逐次送られているものとする。また、当初においては、判定部１２２は、供給制御指定ＯＳＣを「ＯＮ」とするとともに、オフセット異常指示ＯＡＢを「ＯＦＦ」としているものとする。すなわち、当初においては、スイッチ素子３３０1，３３０2が閉塞状態となり、パワー増幅器３２０により生成された出力信号Ｓ1，Ｓ2がスピーカ３４０に供給されているものする。
【０１１４】
以下、計数部１２１Ｃの個別計数部２１０1及び排他論理和部２３０1が協働して行う計数の動作を例示して説明する。かかる計数の動作は、信号ＣＲ1が連続的「ＯＮ」となっている期間において、信号ＯＴ11が「ＯＦＦ」から「ＯＮ」に変化した回数と、信号ＯＴ12が「ＯＮ」から「ＯＦＦ」に変化した回数の和を計数する動作である。なお、当初においては、検出電圧値ＶＤ1は基準値ＶST以下であり、信号ＣＲ1は「ＯＦＦ」であるものとする。この結果、計数値ＣＴ1は「０」となっているものとする。
【０１１５】
こうした当初状態の後、検出電圧値ＶＤ1が基準値ＶSTを超えると、信号ＣＲ1が「ＯＦＦ」から「ＯＮ」に変化する。この結果、個別計数部２１０1が計数可能状態となる。
【０１１６】
こうして個別計数部２１０1が計数可能な状態となった後、検出電圧値ＶＤ1が第１閾値ＶTH1を超えないまま推移すると、計数トリガ信号ＴＧ1が「ＯＦＦ」に維持される。この結果、計数値ＣＴ1が「０」に維持される。
【０１１７】
一方、個別計数部２１０1が計数可能な状態となった後、検出電圧値ＶＤ1が第１閾値ＶTH1を超え、信号ＯＴ11が「ＯＦＦ」から「ＯＮ」に変化すると、計数トリガ信号ＴＧ1が「ＯＦＦ」から「ＯＮ」に変化する。この結果、個別計数部２１０1の計数値ＣＴ1が「０」から「１」に変化する。
【０１１８】
検出電圧値ＶＤ1が第１閾値ＶTH1を超えた後、検出電圧値ＶＤ1が第２閾値ＶTH2を更に超え、信号ＯＴ12が「ＯＦＦ」から「ＯＮ」に変化すると、計数トリガ信号ＴＧ1が「ＯＮ」から「ＯＦＦ」に変化する。この後、検出電圧値ＶＤ1が第２閾値ＶTH2以下となり、信号ＯＴ12が「ＯＮ」から「ＯＦＦ」に変化すると、計数トリガ信号ＴＧ1が「ＯＦＦ」から「ＯＮ」に変化する。この結果、個別計数部２１０1の計数値ＣＴ1が「１」から「２」に変化する。
【０１１９】
上記のようにして個別計数部２１０1の計数値ＣＴ1が「１」から「２」に変化した後に、検出電圧値ＶＤ1が第１閾値ＶTH1以下となり、さらに検出電圧値ＶＤ1が基準値ＶST以下となることなく再度第１閾値ＶTH1を超えると、計数値ＣＴ1が「２」から「３」に変化する。
【０１２０】
以上のように、検出電圧値ＶＤ1が基準値ＶST以下とならない状態が継続している状態で第１閾値ＶTH1超が発生するたびに、計数値ＣＴ1が１だけ増加するとともに、第２閾値ＶTH2超が発生するたびに、計数値ＣＴ1が１だけ増加していく。一方、検出電圧値ＶＤ1が基準値ＶST以下となると、計数値ＣＴ1は「０」クリアされる。この結果、計数値ＣＴ1も「０」となる。
【０１２１】
なお、計数部１２１Ｃの個別計数部２１０2及び排他論理和部２３０2も協働して、上述した個別計数部２１０1及び排他論理和部２３０1が協働して行う計数の動作の場合と同様にして、信号ＣＲ2が連続的「ＯＮ」となっている期間において、信号ＯＴ21が「ＯＦＦ」から「ＯＮ」に変化した回数と、信号ＯＴ22が「ＯＮ」から「ＯＦＦ」に変化した回数の和を計数する動作を実行する。
【０１２２】
こうして行われる計数部１２１Ｃにおける計数動作により、計数値ＣＴ1及び計数値ＣＴ2の少なくとも一方が所定値に達すると、判定部１２２が、オフセット電圧異常状態になったと判定する。そして、判定部１２２は、供給制御指定ＯＳＣを「ＯＦＦ」とするとともに、オフセット異常指示ＯＡＢを「ＯＮ」とする。
【０１２３】
この結果、スイッチ素子３３０1，３３０2が開放状態となり、パワー増幅器３２０の出力信号Ｓ1，Ｓ2のスピーカ３４０への供給が停止される。また、情報処理装置４００が、利用者にオフセット電圧異常を提示する。
【０１２４】
なお、図１４には、パワー増幅器３２０の出力信号Ｓj（ｊ＝１，２）にオフセット電圧異常がない場合の計数部１２１Ｃにおける計数動作のタイミングチャートの例が示されている。この図１４に示される例では、出力信号Ｓjの検出電圧値ＶＤjが第１閾値ＶTH1又は第２閾値ＶTH2を超えたとしても、計数値ＣＴjが大きくなる前に検出電圧値ＶＤjが基準値ＶST以下となり、計数値ＣＴjが「０」クリアされる。このため、計数値ＣＴjが所定値に達することがない。
【０１２５】
また、図１５には、パワー増幅器３２０の出力信号Ｓjにオフセット電圧異常がある場合の計数部１２１Ｃにおける計数動作のタイミングチャートの例が示されている。この図１５に示される例では、出力信号Ｓjの検出電圧値ＶＤjが第１閾値ＶTH1を超えた後、検出電圧値ＶＤjが、基準値ＶST以下となることなく、閾値超を繰り返す。この結果、計数値ＣＴjが「０」クリアされずに、計数値ＣＴjが増大していく。このため、計数値ＣＴjが所定値に達することになる。
【０１２６】
以上説明したように第３実施形態では、検出部１１０Ｂが、パワー増幅器３２０の出力信号Ｓ1，Ｓ2を入力信号として、入力信号の検出電圧値ＶＤ1，ＶＤ2、検出電圧値ＶＤ1，ＶＤ2と基準値ＶSTとの大小関係、及び、２つの閾値ＶTH1，ＶTH2（＞ＶTH1）のそれぞれについて検出電圧値ＶＤ1，ＶＤ2が超えたことを検出する。引き続き、検出電圧値ＶＤ1，ＶＤ2のそれぞれについて、オフセット判定部１２０Ｃにおける計数部１２１Ｃが、基準値ＶSTを超えてから基準値ＶST以下となるまでの期間に、２つの閾値ＶTH1，ＶTH2ごとの検出電圧値ＶＤ1，ＶＤ2の閾値超の回数の和を計数する。そして、オフセット判定部１２０Ｃにおける判定部１２２が、計数部１２１Ｃによる２つの計数結果のいずれかが所定値に達したら、オフセット電圧異常があると判定する。
【０１２７】
したがって、第３実施形態によれば、上述した第１及び第２実施形態の場合と同様に、タイマ機能を実装しない簡易な構成で、オフセット電圧の監視を常時行うことができる。さらに、第３実施形態によれば、２つの閾値のそれぞれについての閾値超の回数の和に基づいてオフセット電圧異常を判定するので、第１実施形態の場合よりも精度良く、かつ、オフセット電圧異常の発生の蓋然性が高いほど迅速にオフセット電圧異常を検出することができる態様で、オフセット電圧の監視を常時行うことができる。
【０１２８】
また、第３実施形態では、第１及び第２実施形態の場合と同様に、オフセット判定部１２０Ｃによる判定結果を外部へ出力するための出力端子ＴＯ2を更に備える。このため、オフセット電圧異常の発生を外部に通知することができる。
【０１２９】
また、第３実施形態では、第１及び第２実施形態の場合と同様に、オフセット判定部１２０Ｂが、オフセット電圧が異常であると判定した場合には、パワー増幅器３２０からスピーカ３４０への出力信号Ｓ1，Ｓ2の供給を停止させる制御を行う。このため、オフセット電圧が異常となっている場合には、迅速に、パワー増幅器３２０からスピーカ３４０への出力信号Ｓ1，Ｓ2の供給を停止させることができる。
【０１３０】
［実施形態の変形］
本発明は、上記の実施形態に限定されるものではなく、様々な変形が可能である。
【０１３１】
例えば、上記の第１〜第３実施形態では、パワー増幅器の２つの出力信号のそれぞれについて、オフセット電圧の監視を行うようにした。これに対し、パワー増幅器の２つの出力信号における一方の信号が、他方の信号に基づいて生成されるような場合には、当該一方の信号のみについて、オフセット電圧の監視を行うようにしてもよい。
【０１３２】
また、家庭用音響装置のように、出力信号が単一信号である場合には、当該単一信号について、オフセット電圧の監視を行うようにしてもよい。
【０１３３】
また、パワー増幅器の２つの出力信号の電圧差に基づいて、オフセット電圧を監視するようにしてもよい。この場合には、基準値は「０」となる。そして、例えば、当該電圧差の絶対値が、閾値の絶対値を超えた回数を計数するようにすればよい。
【０１３４】
また、上記の第３実施形態では、排他論理和部により計数トリガ信号を生成し、検出電圧値が第１閾値以下から第１閾値を超える変化をした時点で計数値を１だけ増加させるとともに、検出電圧値が第２閾値を超えた後に第２閾値以下に変化した時点で計数値を１だけ増加させることにより、検出電圧値の第１閾値超の回数と、検出電圧値の第２閾値超の回数との和を計数するようにした。これに対し、排他論理和の演算を行わずに、検出電圧値が第１閾値以下から第１閾値を超える変化した時点で計数値を１だけ増加させるとともに、検出電圧値が第２閾値以下から第２閾値を超える変化をした時点で計数値を１だけ増加させることにより、検出電圧値の第１閾値超の回数と、検出電圧値の第２閾値超の回数との和を計数するようにしてもよい。
【０１３５】
また、上記の第２及び第３実施形態では、閾値の種類を２個としたが、３個以上の閾値を採用するようにしてもよい。
【０１３６】
また、上記の第１〜第３実施形態では、パワー増幅器の２つの出力信号のオフセット電圧の監視を行うようにしたが、他の種類の信号のオフセット電圧の監視に本発明を適用してもよい。
【０１３７】
また、上記の第１〜第３実施形態では、基準値及び閾値を正値としたが、基準値及び閾値の少なくとも一方が負値である場合にも本発明を適用してもよい。
【０１３８】
なお、上記の第１〜第３実施形態におけるオフセット判定部を、中央処理装置（ＣＰＵ：Central Processing Unit）等を備えた演算手段としてのコンピュータとして構成し、予め用意されたプログラムを当該コンピュータで実行することにより、オフセット判定部における処理の一部又は全部を実行するようにしてもよい。このプログラムはハードディスク、ＣＤ−ＲＯＭ、ＤＶＤ等のコンピュータで読み取り可能な記録媒体に記録され、当該コンピュータによって記録媒体からロードされて実行される。また、このプログラムは、ＣＤ−ＲＯＭ、ＤＶＤ等の可搬型記録媒体に記録された形態で取得されるようにしてもよいし、インターネットなどのネットワークを介した配信の形態で取得されるようにしてもよい。
【図１】
2016051583.tif 000003
【図２】
2016051583.tif 000004
【図３】
2016051583.tif 000005
【図４】
2016051583.tif 000006
【図５】
2016051583.tif 000007
【図６】
2016051583.tif 000008
【図７】
2016051583.tif 000009
【図８】
2016051583.tif 000010
【図９】
2016051583.tif 000011
【図１０】
2016051583.tif 000012
【図１１】
2016051583.tif 000013
【図１２】
2016051583.tif 000014
【図１３】
2016051583.tif 000015
【図１４】
2016051583.tif 000016
【図１５】
2016051583.tif 000017
【手続補正書】
【提出日】平成29年3月22日(2017.3.22)
【手続補正１】
【補正対象書類名】特許請求の範囲
【補正対象項目名】全文
【補正方法】変更
【補正の内容】
【特許請求の範囲】
【請求項１】
外部デバイスから入力された入力信号の電圧値の検出、前記電圧値と基準値との大小関係の検出、及び、前記基準値に対する一方側に設定された少なくとも１つの閾値を前記電圧値が超えたことの検出を行う検出部と；
前記電圧値が前記基準値を超えて前記一方側へ変化してから、前記電圧値が前記一方側から前記基準値に戻るまでの期間に、前記少なくとも１つの閾値を前記電圧値が超えた回数に基づいて、前記入力信号のオフセット電圧が異常であるかを判定するオフセット判定部と；
を備えるオフセット電圧監視装置。
【請求項２】
前記少なくとも１つの閾値には、一の閾値が含まれ、
前記オフセット判定部は、
前記電圧値が前記基準値を超えて前記一方側へ変化してから、前記電圧値が前記一方側から前記基準値に戻るまでの期間に、前記電圧値が前記一の閾値を超えた回数を計数する計数部と；
前記計数部による計数結果が所定値に達したら、前記オフセット電圧が異常であると判定する判定部と；
を備えることを特徴とする請求項１に記載のオフセット電圧監視装置。
【請求項３】
前記少なくとも１つの閾値には、複数の閾値が含まれ、
前記オフセット判定部は、
前記電圧値が前記基準値を超えて前記一方側へ変化してから、前記電圧値が前記一方側から前記基準値に戻るまでの期間に、前記基準値との電圧差が大きな値に設定されている閾値ほど大きな重み付けを行いつつ、前記複数の閾値ごとの前記電圧値の閾値超の回数の和を計数する計数部と；
前記計数部による計数結果が所定値以上となったら、前記オフセット電圧が異常であると判定する判定部と；
を備えることを特徴とする請求項１に記載のオフセット電圧監視装置。
【請求項４】
前記少なくとも１つの閾値には、複数の閾値が含まれ、
前記オフセット判定部は、
前記電圧値が前記基準値を超えて前記一方側へ変化してから、前記電圧値が前記一方側から前記基準値に戻るまでの期間に、前記複数の閾値ごとの前記電圧値の閾値超の回数の和を計数する計数部と；
前記計数部による計数結果が所定値に達したら、前記オフセット電圧が異常であると判定する判定部と；
を備えることを特徴とする請求項１に記載のオフセット電圧監視装置。
【請求項５】
前記オフセット判定部による判定結果を外部へ出力するための出力端子を更に備える、ことを特徴とする請求項１に記載のオフセット電圧監視装置。
【請求項６】
前記オフセット判定部は、前記オフセット電圧が異常であると判定した場合には、前記外部デバイスから他デバイスへの前記入力信号の供給を停止させる制御を行う、ことを特徴とする請求項１に記載のオフセット電圧監視装置。
【請求項７】
外部デバイスから入力された入力信号の電圧値の検出、前記電圧値と基準値との大小関係の検出、及び、前記基準値に対する一方側に設定された少なくとも１つの閾値を前記電圧値が超えたことの検出を行う検出部と；オフセット判定部と；を備え、前記入力信号におけるオフセット電圧の監視を行うオフセット電圧監視装置において使用されるオフセット電圧監視方法であって、
前記オフセット判定部が、前記検出部による検出結果を取得する取得工程と；
前記取得工程における取得結果に基づいて、前記電圧値が前記基準値を超えて前記一方側へ変化してから、前記電圧値が前記一方側から前記基準値に戻るまでの期間に、前記少なくとも１つの閾値を前記電圧値が超えた回数に基づいて、前記オフセット判定部が、前記入力信号のオフセット電圧が異常であるかを判定するオフセット判定工程と；
を備えるオフセット電圧監視方法。
【請求項８】
外部デバイスから入力された入力信号におけるオフセット電圧の監視を行うオフセット電圧監視装置が有するコンピュータに、請求項７に記載のオフセット電圧監視方法を実行させる、ことを特徴とするオフセット電圧監視プログラム。
【請求項９】
外部デバイスから入力された入力信号におけるオフセット電圧の監視を行うオフセット電圧監視装置が有するコンピュータにより読み取り可能に、請求項８に記載のオフセット電圧監視プログラムが記録されている、ことを特徴とする記録媒体。
【手続補正２】
【補正対象書類名】明細書
【補正対象項目名】０００９
【補正方法】変更
【補正の内容】
【０００９】
請求項１に記載の発明は、外部デバイスから入力された入力信号の電圧値の検出、前記電圧値と基準値との大小関係の検出、及び、前記基準値に対する一方側に設定された少なくとも１つの閾値を前記電圧値が超えたことの検出を行う検出部と；前記電圧値が前記基準値を超えて前記一方側へ変化してから、前記電圧値が前記一方側から前記基準値に戻るまでの期間に、前記少なくとも１つの閾値を前記電圧値が超えた回数に基づいて、前記入力信号のオフセット電圧が異常であるかを判定するオフセット判定部と；を備えるオフセット電圧監視装置である。
【手続補正３】
【補正対象書類名】明細書
【補正対象項目名】００１０
【補正方法】変更
【補正の内容】
【００１０】
請求項７に記載の発明は、外部デバイスから入力された入力信号の電圧値の検出、前記電圧値と基準値との大小関係の検出、及び、前記基準値に対する一方側に設定された少なくとも１つの閾値を前記電圧値が超えたことの検出を行う検出部と；オフセット判定部と；を備え、前記入力信号におけるオフセット電圧の監視を行うオフセット電圧監視装置において使用されるオフセット電圧監視方法であって、前記オフセット判定部が、前記検出部による検出結果を取得する取得工程と；前記取得工程における取得結果に基づいて、前記電圧値が前記基準値を超えて前記一方側へ変化してから、前記電圧値が前記一方側から前記基準値に戻るまでの期間に、前記少なくとも１つの閾値を前記電圧値が超えた回数に基づいて、前記オフセット判定部が、前記入力信号のオフセット電圧が異常であるかを判定するオフセット判定工程と；を備えるオフセット電圧監視方法である。
【国際調査報告】
2016051583.tif 000018
2016051583.tif 000019
2016051583.tif 000020